(57)【特許請求の範囲】
【請求項１】
缶蓋本体に、スコア破断用のタブが固定された缶蓋において、
前記タブの指掛かり部の中央にチップアップ部を設けると共に、該チップアップ部の後端近傍にエンボス部を設け、前記指掛かり部の後端近傍、且つ、前記エンボス部の両側近傍に突起を設け、
前記突起の高さを、０．３ｍｍ〜１．２ｍｍの範囲としたことを特徴とする缶蓋。
【請求項２】
前記突起の高さは、指掛かり部に対して少なくとも一部が重なる高さである請求項１に記載の缶蓋。
【請求項３】
前記突起を、指掛かり部のチップアップ部以外の後端近傍に設けた請求項１又は２に記載の缶蓋。
【発明の詳細な説明】
【技術分野】
【０００１】
本発明は、タブの指掛かり性向上と不意開口防止を図った易開封性の缶蓋に関する。
【背景技術】
【０００２】
従来、易開封性を目的とする缶蓋としては様々なものが提案されており、たとえば特許文献１には、缶蓋本体のパネル面にタブの後端の指掛かり部を持ち上げるディンプルを設け、指掛かり部とパネル面との指掛かり隙間を大きくして、指掛かり性を向上させた缶蓋が開示されている。
しかし、前記缶蓋のようにタブの指掛かり性を向上させるためにタブの指掛かり部を持ち上げられていると、積み上げられた上位の缶の転倒時に、上位の缶の底部が下位の缶のタブの指掛かり部に引っ掛かってしまい、不意開口を引き起こすおそれがあった。
【０００３】
一方、特許文献２には、タブの指掛かり部の近傍に事故開封防止用突起を設け、上位の缶の転倒時の、下位の缶の不意開口を防止した缶蓋が開示されている。
前記缶蓋はタブの途中に屈曲可能な凹部を設け、先ず、凹部でタブを折り曲げて指掛け孔に指が掛かるようにし、その後、タブを持ち上げてスコアを破断するように構成されたもので、タブ自体の指掛かりについては考慮されていない。
また、その他の技術が記載されている先行文献として、特許文献３に示される公報がある。
【０００４】
上記のように、易開封性を目的とする缶蓋においては、タブの指掛かり性を重視すると、不意開口の恐れも増すこととなる。このため、指掛り性を十分に確保しつつ、不意開口を防止可能な缶蓋が求められていた。なお、上記した不意開口の問題は、陽圧缶において特に顕著である。
【先行技術文献】
【特許文献】
【０００５】
【特許文献１】実開平５−１３９３５号公報
【特許文献２】実公昭６１−２９６２５号公報
【特許文献３】特開２０００−１２８１６８号公報
【発明の概要】
【発明が解決しようとする課題】
【０００６】
本発明の目的は、タブの指掛かり性を確保しつつ不意開口を防止する易開封性の缶蓋を提供することにある。
【課題を解決するための手段】
【０００７】
上記目的を達成するために、本発明は、缶蓋本体に、スコア破断用のタブが固定された缶蓋において、前記タブの指掛かり部の中央にチップアップ部を設けると共に、該チップアップ部の後端近傍にエンボス部を設け、前記指掛かり部の後端近傍、且つ、前記エンボス部の両側近傍に突起を設け、
前記突起の高さを、０．３ｍｍ〜１．２ｍｍの範囲としたことを特徴とする。
また、本発明は、次のように構成することができる。
１．前記突起の高さは、指掛かり部に対して少なくとも一部が重なる高さである。
２．前記突起を、指掛かり部のチップアップ部以外の後端近傍に設けている。
【発明の効果】
【０００８】
本発明の缶蓋によれば、指掛かり性向上のために指掛かり部の中央にチップアップ部が設けられているが、該チップアップ部により部分的に缶蓋本体との隙間を大きくしているので、上位の缶の底部が指掛かり部に引っ掛かりにくい。また、チップアップ部の後端近傍にエンボス部を備えることで、缶蓋本体との隙間を更に大きくして、指掛かり性を向上させることができる。さらに、この指掛かり部の後端近傍、且つ、エンボス部の両側近傍に突起を設けることで、積み上げ上位缶転倒時の缶ボトムのチップアップ部への干渉をより確実に防止でき、不意開口を防止することができる。
また、突起の高さは、指掛かり部に対して少なくとも一部が重なる高さとすることで、不意開口をより確実に防止することができる。
また、突起の高さを０．３ｍｍ〜１．２ｍｍの範囲としておけば、耐圧性を損なうことなく、不意開口を確実に防止することができる。
また、突起を指掛かり部のチップアップ部以外の後端近傍に設けることで、不意開口を確実に防止しつつ、指掛かり性の向上を図ることができる。
【図面の簡単な説明】
【０００９】
【図１】図１は本発明の実施の形態に係る缶蓋を示すもので、（Ａ）は平面図、（Ｂ）は半断面図である。
【図２】図２（Ａ）は、図１（Ａ）のガードディンプルは切断せずにII−II線に沿って切断した拡大断面図であり、（Ｂ）はガードディンプルの他の形態例の断面図である。
【発明を実施するための形態】
【００１０】
以下に、本発明を図示の実施の形態に基づいて詳細に説明する。
図１は本発明の実施の形態に係る缶蓋を示すもので、この例は、内圧が加わる陽圧缶用の缶蓋として利用される。缶蓋本体１は、センターパネル２、センターパネル２の周縁から下方に突出するチャックウォールラジアス３、チャックウォールラジアス３の外側壁から立ち上がるチャックウォール４、及びチャックウォール４に連続して形成されたシーミングパネル５を有する。タブ１０はステイオンタイプの部分開口用のタブであり、缶蓋本体１にリベット部７を介して固定されている。
【００１１】
リベット部７はセンターパネル２の中心に設けられ、リベット部７の中心を通る仮想の第１中心線Ｍを隔てて一方の半円部分に、部分開口用スコア６によって囲まれた開口予定部８が設けられている。
タブ１０は、小判形状に成形された板状部材で、長軸方向の一端が円弧状のタブ先端部１１で、他端部が指掛かり部１３となっている。タブ１０は、第１中心線Ｍに対して直交する第２中心線Ｎに沿って配置され、タブ先端部１１側に偏移した位置でリベット部７によって固定され、タブ先端部１１が開口予定部８側に重なり、指掛かり部１３がリベット部７に対して開口予定部８とは反対側のセンターパネル２の周縁近くに配置されている。タブ１０の外周縁には、タブ１０を構成する板材を下面側に折り返したカール部１７が形成され、剛性が高められている。
【００１２】
タブ１０には、指掛かり部１３に隣接して楕円状の指掛け孔１４が開口形成されており、タブ１０の後端と指掛け孔１４の後縁の間の部分が指掛かり部１３となっている。タブ１０の後端縁と指掛け孔１４の後端縁は、第２中心線Ｎに対して直交方向に互いに平行に直線状に延び、両端部がコーナー部１３ｃ，１３ｃを介してタブの側辺部１６、１６に至る構成となっている。なお、指掛け孔１４の内周縁も下面側に折り返されたカール部１８が形成されており、指掛かり部１３の断面形状は、下方に開いた立体的な開断面ボックス形状に構成されている。この指掛かり部１３の中央に、センターパネル２のパネル面２ａとの間に指掛かり隙間ｇを形成するためのチップアップ部２０が設けられている。
【００１３】
また、缶蓋本体１のセンターパネル２には、チップアップ部２０の後端近傍に、局部的に
凹状に窪ませたエンボス部９が形成され、チップアップ部２０に指が掛かりやすい構成となっている。このエンボス部９の第２中心線Ｎと直交方向の幅は、後述するチップアップ部２０の下面アーチ部２１とほぼ同じ幅である。また、エンボス部９の平面形状は楕円形状で、底面９ａは平坦面となっている。
【００１４】
そして、缶蓋本体１のセンターパネル２には、指掛かり部１３の後端近傍、且つ、エンボス部９の両側近傍に突起としてのガードディンプル３０、３０（詳しくは後述する）が、第２中心線Ｎに対して左右対称に配置されている。
【００１５】
図２（Ａ）には、チップアップ部２０の構成を拡大して示している。
チップアップ部２０は、指掛かり部１３をアーチ状にしてパネル面２ａとの間に指掛かり隙間ｇを形成したもので、指掛かり部１３の下面１３ｂを円弧形状の窪ませた下面アーチ部２１と、指掛かり部１３の上面１３ａから上方に突出する上面アーチ部２３とを備えた形状となっている。上面アーチ部２３は下面アーチ部２１の頂部２１ａに対応している。また、上面アーチ部２３の突出高さｂは、缶蓋を重ねた合せた際に、上位の缶蓋との間に形成される隙間より低く設定される。本実施形態では、缶蓋を重ねた場合の下位の缶蓋と上位の缶蓋との隙間は０．４ｍｍ程度に設定しているので、上面アーチ部突出高さｂは０．３ｍｍ程度まで突出させることが可能である。このようにすれば、蓋長さ（出荷時に蓋をまとめて袋に入れた長さ）を現行の缶蓋と同程度として収容効率の低下を招くことなく、指掛かり隙間ｇを大きくすることができる。
【００１６】
ガードディンプル３０、３０は、平面形状が円形で、周辺から中央に向けて山形に突出した形状で、指掛かり部１３の後端近傍、且つ、エンボス部９の両側近傍に配置されている。
ガードディンプル３０．３０の断面形状は山形に限らず、たとえば、図２（Ｂ）に示すように、頂部３０ａが平坦な台形状に突出するような形状であってもよい。
【００１７】
このガードディンプル３０、３０の高さｈは、缶蓋単独（内圧が加わらない状態）で、少なくとも指掛かり部１３の下面１３ｂよりも高く、高さ方向に、指掛かり部１３と少なくとも一部が重なる高さに設定することが好ましい。
この実施の形態では、ガードディンプル３０，３０の高さｈは、指掛かり部１３の平坦な上面１３ａよりも低く、指掛かり部１３の高さの途中までとなっている。オーバーラップ量Ｃは、タブ１０の指掛かり部１３の１／３程度が効果的である。
もっとも、ガードディンプル３０、３０の高さｈは指掛かり部１３の上面１３ａより上方に突出していてもよい。また、ガードディンプル３０、３０の高さが低く、指掛かり部１３の高さとオーバーラップしていなくても、転倒時に上位の缶ボトムが、指掛かり部１３に引っ掛かるのを防止できればよい。
【００１８】
一方、ガードディンプル３０．３０の設置幅Ｗ（図示例ではガードディンプル３０，３０の頂点間の距離）は、指掛かり部１３のチップアップ部２０の幅、この実施の形態では、下面アーチ部２１の開口幅Ａよりも大きくなっており、ガードディンプル３０，３０は、指掛かり部１３のチップアップ部２０以外の後端近傍に配置されている。
図示例では、図１（Ａ）に示すように、平面視で、ガードディンプル３０、３０の円形の外縁がタブ１０の指掛かり部１３の両端に位置するコーナー部１３ｃ，１３ｃに接するような位置関係となっているが、設置幅Ｗを狭くしてもよいし、設置幅Ｗを広げてもよい。
また、ガードディンプル３０，３０の外縁が指掛かり部１３の下面側に一部重なっていてもよい。すなわち、ガードディンプル３０，３０のすそ野部分は高さが低く、指掛かり部１３の側縁はカールしていて隙間があり、下面１３ｂとセンターパネル２のパネル面２ａとの間にも隙間があるので、指掛かり隙間ｇに影響しない程度であればよい。また、ガ
ードディンプル３０，３０の外縁が指掛かり部１３から離れていてもよい。
【００１９】
次に本実施の形態の缶蓋の作用について説明する。
開封操作は、タブ１０の指掛かり部１３のチップアップ部２０の下面アーチ部２１に指を掛けて持ち上げ、リベット部７を支点にしてタブ先端部１１を押し下げることにより、スコア６を破断して開封する。
指を掛ける際に、ガードディンプル３０，３０は、指掛かり部１３の後端近傍、且つ、エンボス部９の両側近傍に配置されているので開封の妨げとならない。また、チップアップ部２０によって缶蓋のパネル面２ａと十分な指掛かり隙間ｇがあり、チップアップ部２０の下面アーチ部２１を円弧状として頂部２１ａを可及的に深くとっているので、指掛かり隙間ｇをより大きくとることができ、指が掛かりやすくなっている。さらに、エンボス部９をチップアップ部２０の後端近傍に設けることで、より一層、指が掛かりやすくなっている。
また、内圧が陽圧となる実缶の場合、センターパネル２の中央部が膨れて周辺部が傾斜面となるので、指掛かり部１３が浮き上がり、指掛かり隙間ｇが大きくなる。
【００２０】
缶蓋単体では、指掛かり隙間ｇについては、約１．２ｍｍ、タブ１０とエンボス９間の隙間Ｇは、約１．６〜１．７ｍｍ程度に設定されている。隙間Ｇは、下面アーチ部２１の頂部２１ａと、エンボス部９の底面９ａとの距離である。
実缶では、タブ１０とパネル面２ａ間の指掛かり隙間ｇは約２ｍｍ、タブ１０とエンボス９間の隙間Ｇは約２．４ｍｍとなる。
【００２１】
一方、図１（Ｂ）に二点鎖線で示したように、実缶を積み重ねた状態で転倒し、上位の缶ボトム部４０が指掛かり部１３に向かって動いても、チップアップ部２０の手前で一対のガードディンプル３０，３０に乗り上げ、チップアップ部２０との干渉が防止される。仮に、上位の缶ボトム部４０がチップアップ部２０と干渉した場合、干渉量は僅かに押えられているばかりでなく、チップアップ部２０の下面アーチ部２１が円弧形状としていることで、缶ボトム４０とは円弧同士の接触となり引っ掛かりにくく、下位の缶の不意開口が防止される。
【００２２】
［ガードディンプルの高さについて］
ガードディンプル３０，３０の高さｈは、０．３ｍｍ〜１．２ｍｍの範囲が好ましく、特に、０．５ｍｍ〜１．０ｍｍの範囲が好適である。
高さｈが０．３ｍｍ以下では、高さが無いために、転倒した際に上位の缶ボトムがチップアップ部２０に干渉し、不意開口のおそれがある。一方、１，０ｍｍを越えると耐圧性低下傾向が表れ、１．２ｍｍを越えると耐圧性が低下する。
なお、ガードディンプル３０，３０の高さｈは、前記範囲内であればよく、ガードディンプルの高さを各々設定することもできる。
【００２３】
［ガードディンプル３０の設置幅Ｗについて］
また、ガードディンプル３０、３０の設置幅Ｗは、１０．０ｍｍ〜１７．７ｍｍ、特に１０．０ｍｍ〜１５．０ｍｍ程度が好適である。１０ｍｍはチップアップ部２０の幅Ａであり、１０ｍｍには限られず、指が掛かりやすい好適な範囲に適宜決められる。１５．０ｍｍで耐圧性低下傾向が現れ、１７．７ｍｍを越えると、耐圧性が低下する。すなわち、ガードディンプル３０，３０の設置幅Ｗを広くしていくと、センターパネル２の外端に近づくために、バックリングしやすくなる。
なお、設置幅Ｗは幅狭の方が不意開口を防止する効果が高いが、幅広でもガードディンプル３０，３０の高さを高くすれば不意開口防止効果を高めることができる。また、ガードディンプル３０，３０間に指が入る程度の設置幅Ｗとすれば、開缶時にチップアップ２０への誘導効果も併せて達成することができる。
なお、指掛かり部１３のチップアップ部２０の形状としては、アーチ形状に限定されるものではなく、種々の形状を採用し得る。
【符号の説明】
【００２４】
１  缶蓋本体
２  センターパネル
２ａ  パネル面６  部分開口用スコア
７  リベット部
８  開口予定部
９  エンボス部
１０  タブ
１１  タブ先端部
１３  指掛かり部、１３ａ  上面、１３ｂ  下面、コーナー部  １３ｃ
１４  指掛け孔
１６  側辺部
１７  カール部、１８  カール部
２０  チップアップ部
２１  下面アーチ部、２１ａ  頂部
２３  上面アーチ部
３０  ガードディンプル（突起）
４０  上位缶の缶ボトム
Ｍ  第１中心線
Ｎ  第２中心線
ｈ  ガードディンプルの高さ
Ｗ  ガードディンプルの設置幅
ｇ  指掛かり隙間
Ａ  下面アーチ部の開口幅
ｂ  上面アーチ部の突出高さ
ｃ  オーバーラップ量
【図１】
0005741198.tif 000002
【図２】
0005741198.tif 000003